(57)【要約】      （修正有）【課題】原作が有する質感及び色調のコントラストを含む複製の製作方法を提供する。【解決手段】最初の層はベース基板１２で、次に、美術作品に対する質感および色調のコントラストを表すインクの堆積物を有するレリーフ層１６がこの基板１２に塗布される。そして、美術作品を作成するために、コンピュータ制御のカラー印刷層１８がレリーフ層１６に結合される。反射性の表面を有する基板１２の場合には、美術作品の反射率を選択的に低減するために、基板１２とレリーフ層１６との間に白い層１４を追加することができる。【選択図】図３
2005119275.tif 000002
【特許請求の範囲】
【請求項１】
美術作品の原作を生成するための方法であって、
カラー印刷層を生成するために、コンピュータ・プログラムによりコンピュータ制御のカラー・プリンタをプログラムするステップと、
表面を有するベース基板を供給するステップと、
リリーフ層が粘性インクの堆積物を含んでいて、前記基板の表面上に前記リリーフ層を塗布するステップと、
前記美術作品に対して質感および色調のコントラストを生成するために、前記リリーフ層の粘性インクの堆積物の大きさおよび配置を構成するステップと、
前記リリーフ層の粘性インクの堆積物を、前記美術作品のその組合わせ表現のために前記カラー印刷層内に導入する目的で、前記カラー・プリンタを使用して前記リリーフ層にわたって前記基板に前記カラー印刷層を塗布するステップとを含む方法。
【請求項２】
前記塗布ステップが、
透明な基板上に前記インクの堆積物をスクリーン印刷するステップと、
その上にインク堆積物を含む前記透明な基板を、前記ベース基板の表面に接着するステップとを含む、請求項１に記載の方法。
【請求項３】
前記構成するステップが手により行われる、請求項２に記載の方法。
【請求項４】
美術作品の原作であって、
表面を有するベース基板と、
前記美術作品に対して、カラー・テーマを供給するためのコンピュータ制御のカラー印刷層と、
前記基板の表面に塗布されていて、前記美術作品に対する質感および色調のコントラストを作成するように大きさおよび配置が構成されているレリーフ層とを備え、前記美術作品のその組合わせ表現を行う目的で、前記レリーフ層のインクの堆積物を前記カラー印刷層内に導入し、コンピュータ制御のカラー・プリンタにより、前記レリーフ層上に前記カラー印刷層を塗布するために、前記レリーフ層が前記基板の表面と前記カラー印刷層との間に位置する美術作品の原作。
【発明の詳細な説明】
【技術分野】
【０００１】
本発明は、概して、コンピュータ制御技術を使用する美術作品の原作（ｏｒｉｇｉｎａｌ  ｗｏｒｋｓ）を作成するための装置および機器に関し、特に、濃淡、深みおよび鮮明度を表現するための物理的強調を有する視覚的美術作品に関する。本発明は、コンピュータ制御のカラー・プリンタを使用する美術作品の原作を作成する際に特に役に立つが、用途はこれに限定されない。
【背景技術】
【０００２】
本出願は、現在係属中の２００３年６月１１日付けの特許出願第１０，４５９，２６９号の一部継続出願である。上記出願の内容は、引用により本明細書の記載に援用する。
【０００３】
すべての美術作品は、形態、美および特殊なまたは独自の知覚（ｐｅｒｃｅｐｔｉｏｎ）を表示する物事の製作または作成を含む。美術作品の場合には、作品の特徴はその純粋な審美的価値により識別される。より詳細に説明すると、美術作品の絵画に関する限り、特定の作品の審美的な価値は、その表現内にだけ存在するのではなく、アーティストが作品の中に導入するコントラスト（ｃｏｎｔｒａｓｔｓ）内にも存在する。これらのコントラストは、その性質において質感によるものでもよいし、色調によるものであってもよく、美術作品をすばらしいものに、および独自なものにする濃淡、深みおよび鮮明度を含む。
【０００４】
原作の複製は、原作それ自身と同じように価値がある場合がある。しかし、複製の価値の大部分は、原作のその表現において複製がいかに原作に忠実であるかにより決まる。例えば、油絵の複製の場合には、原作の中でアーティストが表現したコントラストを正確に取り入れる技術が、複製の価値を大きく高めることができる。特定の美術作品により、これらのコントラストは多種多様で様々に変化し、絵筆の運びおよび色の変化のようなニュアンスを含む。美術作品に非常に多くのものを与えるコントラストは、多くの場合、微妙なものであり、そのため再現するのが非常に難しいことはほとんど言うまでもないことである。
【０００５】
視覚的な作品を複製するために、ここ数年間に種々の装置および技術が開発されてきた。ここで特に興味があるのは、原作の主題（ｓｕｂｊｅｃｔ）の色を忠実に再現することができる、いわゆるカラー・プリンタである。一般的に、カラー印刷は、所定の順序でそれぞれの色が別々に印刷されるいくつかの印刷プロセスのうちの任意のプロセスにより行われる。その場合、重畳して印刷されたものは、正確に位置合わせされている場合には、原作の主題に色が対応している画像を形成する。最近、印刷プロセス全体にコンピュータ制御を導入することにより、カラー印刷プロセスが大幅に改善されている。
【０００６】
カラー印刷プロセスは、非常に効果的ではあるが、プロセス中に使用するインクの物理的特性により幾分制約を受ける。この点で特に重要なのは、使用するインクの粘度、すなわち流動に対する抵抗である。通常、作業上の理由から、カラー印刷プロセスで使用するインクは、どちらかというと低い粘度を有する。すなわち、これらのインクは薄く流動性が高い。それ故、原作の色は、カラー印刷プロセスにより正確に再現できるが、結果として得られるものは本質的には二次元表現である。それ故、カラー印刷プロセスだけでは、美術作品の正確な表現にとって非常に重要な三次元コントラストを実現できない。
【０００７】
カラー印刷プロセスで使用するのに必要な粘度より遥かに高い粘度を有するインクを、複製した美術作品に三次元効果を与えるために使用することができることは周知である。より詳細に説明すると、非常に粘度の高いインク（すなわち、いわゆる「濃い」インク）を、スクリーン印刷プロセスにより、複製した美術作品に効果的に取り入れることができることも周知である。例えば、Ｌｏｎｇｏｂａｒｄｉの「透明な基板による署名」（Ｓｉｇｎ  ｗｉｔｈ  Ｔｒａｎｓｐａｒｅｎｔ  Ｓｕｂｓｔｒａｔｅ）という名称の米国特許第４，９３３，２１８号（Ｕ．Ｓ．Ｐａｔｅｎｔ  Ｎｏ．４，９３３，２１８）は、美術作品内に「インクの非常に濃い隆起部」を導入することにより、美術作品で三次元的効果を達成するためのスクリーン印刷の使用を開示している。しかし、隆起部だけでは、美術作品の質感および色調のコントラストは再現されない。
【発明の開示】
【発明が解決しようとする課題】
【０００８】
上記を考慮して、本発明の目的は、美術作品の原作の複製を提供することであり、原作が有する質感および色調のコントラストを含む上記複製を製作するための方法を提供することである。本発明のもう１つの目的は、原作の複製を提供することであり、美術作品が有するコントラストを再現し、これらのコントラストを原作の複製内に導入するために、スクリーン印刷プロセスとカラー印刷プロセスとを組合わせて使用する上記複製を製作するための方法を提供することである。本発明のさらにもう１つの目的は、原作の複製を提供することであり、容易に実施することができ、比較的コスト・パフォーマンスがよい上記複製を製作するための方法を提供することである。
【課題を解決するための手段】
【０００９】
本発明は、原作でアーティストが創作した質感および色調のコントラストを複製内で再現する原作の複製を作成するための方法である。全体的にみると、本発明の方法および作品は、材料の種々の層の生成および組合わせを含む。重要なことは、これらの種々の層の組合わせが、結果的にカラー印刷プロセスの基礎としての働きをすることである。
【００１０】
本発明の場合には、ほぼ平らな表面を有するベース基板を使用する。この表面は反射性のものであっても、反射性でないものであってもよいし、任意の所望の色のものであってもよい。また、ベース基板は、用紙（ｐａｐｅｒ  ｓｔｏｃｋ）で作ることもできるし、アルミニウム・シートのような反射性の材料から作ることもできる。さらに、用紙で作った場合には、ベース基板をコーティングすることもできるし、またはコーティングしなくてもよいし、金属箔で覆うこともできる。
【００１１】
本発明の最も重要な点は、レリーフ層（ｒｅｌｉｅｆ  ｌａｙｅｒ）を基板の表面に塗布することである。重要なことは、このレリーフ層は、原作にアーティストが創造したコントラストに対応する大きさを有しかつそれに対応して配置されているインクの堆積物（ｉｎｋ  ｄｅｐｏｓｉｔｓ）を有することである。好適には、レリーフ層は、インクの堆積物が置かれている透明なプラスチック・シートを含むことが好ましい。次に、この透明なプラスチック・シートは、インクの堆積物と一緒に、ベース基板の表面上に直接接着することができる。別の方法としては、透明なプラスチック・シートを使用しないで、その代わりにインクの堆積物をベース基板上に直接置くこともできる。どちらの場合も、レリーフ層のインクの堆積物は、濃くて非常に粘度が高いインクを使用するスクリーン印刷プロセスにより形成することができる。
【００１２】
スクリーン印刷した後で、レリーフ層の粘性インク（ｖｉｓｃｏｕｓ  ｉｎｋ）の堆積物を、絵筆またはへらのような他の道具を手で使用してさらに仕上げることができる。これらの種々の道具を使用する目的は、複製に導入されているコントラストを仕上げることである。例えば、油絵の特定のケースでは、複製内に絵筆で描いた印象を与えるように、コントラストを仕上げることができる。さらに、複製にさらなる質感、深みおよび鮮明度を与えるために、インクの堆積物用に透明または色つきのインクを選択的に使用して、レリーフ層を形成することができる。
【００１３】
ベース基板の表面の性質が反射性である場合にはいつでも、本発明に対してオプションとしての白い層を使用することができる。使用した場合には、この白い層は、反射性の表面の選択した部分の反射率を低減するように不透明にするために、基板の反射性の表面とレリーフ層との間に置かれる。レリーフ層のように、この白い層は、好適には、スクリーン印刷プロセスにより形成することが好ましい。また、レリーフ層のように、白い層は、後でベース基板の表面に接着することができる透明な基板を含むことができる。白い層を使用する場合には、レリーフ層が白い層上に塗布される。
【００１４】
すでに説明したように、種々の層を組み合わせると、複製中の美術作品の色を再現した複製を提供するために、カラー印刷層がレリーフ層の上にくる。好適には、本発明のすべての実施形態の場合には、レリーフ層は基板の表面とカラー印刷層の間に位置することが好ましい。この組合わせの場合、レリーフ層のインクの堆積物は、原作からのコントラストとしてカラー印刷層のカラー再現に導入される。
【００１５】
本発明の場合には、カラー印刷層の位置はコンピュータにより決めることができる。より詳細に説明すると、カラー印刷層は、コンピュータ・プログラムの命令により、レリーフ層上に堆積される複数の種々の色のインク・ドットを含む。コンピュータ・プログラムは、またカラー印刷層をレリーフ層と位置合わせするために使用される。
【００１６】
他の美術作品の複製を作成する他に、本発明の方法およびプロセスは、原作を作成するためにも使用することができる。そうするために、アーティストは、自分の目的によりカラー印刷層のためのコンピュータ・プログラムを作成する。次に、このコンピュータ・プログラムは、カラー印刷層を生成する目的で、カラー・プリンタを制御するために使用される。レリーフ層も、アーティストの目的に合わせてアーティストにより作成され、第１のステップにおいて、シルク・スクリーン・プロセスにより基板上に置かれるか、塗布される。次に、シルク・スクリーニングの効果を、アーティストが必要とする任意の他の仕上げにより高めることができる。すでに説明したように、アーティストは、レリーフ層に手により仕上げを行うことができる。より詳細に説明すると、このような仕上げは、絵筆またはへらのような道具により行うことができる。同様に、アーティストは、上記方法でオプションとしての白い層を形成し、導入することができる。次に、原作を作成するために、そのレリーフ層および白い層（オプションとしての）を含む基板をカラー・プリンタにより印刷することができる。
【００１７】
添付の説明とともに、類似の参照符号が類似の部材を示す添付の図面により、本発明の新規な特徴および本発明自身を、その構造およびその動作についてともに、最もよく理解することができるだろう。
【発明を実施するための最良の形態】
【００１８】
最初に図１を参照すると、参照符号１０は、本発明により製作した美術作品の複製を示す。より詳細に説明すると、複製１０の構造は、図２を参照すると最もよく理解することができる。複製１０は、本質的には、白い層１４がすでに堆積されているベース基板１２を含むことを理解することができる。さらに、ベース基板１２とカラー印刷層１８との間に白い層１４およびレリーフ層１６の両方が位置するように、ベース基板１２上に横たわるレリーフ層１６とカラー印刷層１８がある。複製１０の実際の構造は、おそらく、図２および図３を相互に参照することにより、また構造の各部分を個々に考慮することにより最もよく理解することができるだろう。
【００１９】
本発明の目的のために、ベース基板１２は、用紙、金属シート（例えば、アルミニウム）、または当業者であれば周知の任意の他のタイプの適当な材料から作ることができる。ベース基板１２用に使用する材料が何であっても、またベース基板１２は所望の形にすることができるが（図３の長方形は単に例示としてのものに過ぎない）、ベース基板１２は、好適には、ほぼ平らな表面２０を有することが好ましい。本発明の場合には、表面２０は、反射性のものであっても、反射性のものでなくてもよい。
【００２０】
ベース基板１２の表面２０の性質が反射性のものである場合には、複製１０は白い層１４を含むことができる。しかし、白い層１４は使用してもしなくてもよい。使用する場合には、白い層１４は透明なプラスチック・シート２４上に選択的に置くことができる白い不透明のインク２２を含む。次に、白い層１４はベース基板１２の表面２０上に置かれ、白いインク２２がその表面２０の選択した部分を覆う。別の方法としては、白い層１４は透明なシート２４を含む必要はなく、代わりに白いインク２２を基板２０の選択した部分に直接塗布することができる。どちらの場合も、白い層１４の白いインク２２の目的は、表面２０の選択した部分の反射率を効果的に低減する不透明な部分を形成することである。この白い層１４は使用しても使用しなくてもよいことを思い出されたい。ベース基板１２の表面２０が反射性でない場合には、白い層１４は必要ない。
【００２１】
図３は、粘性インク２６の堆積物を含むレリーフ層１６を示す。好適には、インク２６は透明なものであり、比較的高い粘度を有することが好ましい。しかし、インク２６は色つきのものであってもよい。重要なことは、また色が何であろうとも、インク２６の粘度は、インク２６の堆積物を必要に応じて好きな形にすることができるものでなければならないことである。より詳細に説明すると、レリーフ層１６内のインク２６の堆積物は、レリーフ層１６内で広がり、深さおよび向きを変えることができるものでなければならない。その目的は、インク２６の堆積物に、原作の質感および色調のコントラストを複製または模写することである。
【００２２】
図３に示すように、インク２６の堆積物は、透明なプラスチック・シート２８上に置くことができる。しかし、上記で述べた白い層１４のように、レリーフ層１６は、透明なシート２８を含む必要はない。いずれにせよ、透明なシート２８を使用してもしなくても、レリーフ層１６のインク２６の堆積物は、白い層１４の上に置かれる。白い層１４を使用しない場合には、レリーフ層１６を、ベース基板１２の表面２０上に直接置くことができる。
【００２３】
さらに図３を参照すると、カラー印刷層１８は他の層１４（使用する場合には）および１６を覆うことを理解することができる。カラー印刷層１８の唯一の目的は、複製中の美術作品の忠実なカラーの複写を提供することである。好適には、原作の色の変化を、コンピュータ技術において周知の技術により作成され書かれたコンピュータ・プログラムにより、カラー印刷層１８に模写することが好ましい。それ故、本発明の複製１０の場合には、カラー印刷層１８は、周知のコンピュータ技術によりデジタル的にカラー化される。
【００２４】
図４では、本発明による複製１０を製作するためのプロセスの略図が示されている。図４を参照して、使用する場合には、ベース基板１２’を形成するために、白い層１４は表面２０の上に置かれることを理解されたい。好適には、このことは、白いインク２２がメッシュ３０上に置かれたマスク（図示せず）を通過するスクリーン印刷プロセスにより行うことが好ましい。当業者であれば周知のように、このプロセスを行うと、白いインク２２は、マスクでカバーされていない表面２０の選択した部分だけに塗布されることになる。
【００２５】
白い層１４は使用しなくてもよいが、レリーフ層１６がベース基板１２”を形成するために塗布される。図４に示すように、レリーフ層１６は、粘性インク２６を使用して、種々の方法でベース基板１２”に塗布される。より詳細に説明すると、粘性インク２６の堆積物は、スクリーン印刷プロセスによりベース基板１２に塗布することができる。図４の場合には、このスクリーン印刷プロセスは、白い層１４を参照して上記で説明した方法と同様の方法により、マスク（図示せず）と一緒に使用することができる、メッシュ３２により表す。別の方法としては、またはスクリーン印刷プロセスに加えて、粘性インク２６の堆積物を、絵筆３４またはへら３６により、ベース基板１２に手により塗布することができる。この作業に使用する特定の道具が何であれ、原作のコントラストを複製１０のためのレリーフ層１６の粘性インク２６の堆積物により複製することが重要である。すでに説明したように、これらのコントラストの性質は色調および質感両方によるものである。
【００２６】
レリーフ層１６がベース基板１２”に塗布されると、次に、複製１０を作成するために、カラー印刷層１８が塗布される。より詳細に説明すると、図４に示すように、複製１０にカラー印刷層１８を導入するプロセスは、コンピュータにより行われる。任意の周知のカラー印刷プロセスの場合のように、本発明の場合には、複数の種々のカラー・インク３８を使用することができる。図４に示すカラー・インク３８ａ、３８ｂ、および３８ｃは単に例示としてのものに過ぎない。これらのカラー・インク３８の個々の供給源およびコンピュータ４０は、それぞれスプレー（ｓｐｒａｙｅｒ）４２に接続している。より詳細に説明すると、コンピュータ４０は、電子的にスプレー４２に接続していて、コンピュータ４０は、カラー印刷層１８を生成するために、前に作成したコンピュータ・プログラム（図示せず）により、スプレー４２を通る各カラー・インク３８の流れを制御する。それ故、前部から後部に、本発明による複製１０は、カラー印刷層１８、レリーフ層１６、白い層１４（オプションとしての）、および基板１２を含む。
【００２７】
原作を作成するために本発明の技術および方法を使用する場合、アーティストは、種々の層１４、１６および１８の生成をすべて制御すると仮定する。より詳細に説明すると、レリーフ層１６を生成するために使用する比較的粘度の高いインク２６を使用して、アーティストはカラー印刷層１８に対して他の方法では不可能な物理的な強化を行うことができる。より詳細に説明すると、本発明の場合には、原作を作成するために、アーティストは必要に応じて白い層１４、レリーフ層１６およびカラー印刷層１８に自由に、別々におよび個々に操作することができる。さらに、同じカラー印刷層１８を使用しながら、他の層（例えば、白い層１４またはレリーフ層１６）の中の少なくとも１つを変化させることにより、アーティストは、すべて同じテーマまたは同じカラー・スキームを有しているがすべて異なるコントラストを有するいくつかの原作を作成することができる。より詳細に説明すると、コンピュータ制御のカラー印刷層（ｃｏｍｐｕｔｅｒｉｚｅｄ  ｃｏｌｏｒ  ｐｒｉｎｔ  ｌａｙｅｒ）１８を、異なる作品に対して同じテーマまたは同じカラー・スキームを確立するために使用することができる。共通のテーマまたはカラー・スキームを使用して、各作品にそれ自身の原作の質感および色調のコントラストを与える広がり、深みおよび向きに変化を与えるために、白い層１４および／またはレリーフ層１６を作品毎に再構成することができる。また、当業者であれば理解してもらえると思うが、レリーフ層１６または白い層１４（使用する場合には）は同じ状態に維持しながら、テーマのカラー・スキームまたはテーマ自身を作品毎に変えることができる。それぞれの場合、新しい美術作品に対して、コンピュータ制御のカラー・プリンタ（すなわち、コンピュータ４０およびスプレー４２）により、カラー印刷層１８が塗布される。
【００２８】
本明細書に詳細に図示し、説明したカラー・プリンタにより美術作品を作成するための特定の方法は、対象物を完全に入手し、上記利点を提供することができるが、それは本発明のこのような好適な実施形態を単に説明するためのものであること、および本明細書に示す構造または設計の詳細を制限するものでないことを理解されたい。本発明は添付の特許請求の範囲だけにより制限される。
【図面の簡単な説明】
【００２９】
【図１】本発明による美術作品の複製の立面図である。
【図２】図１の２−２線に沿って切断した複製の断面図である。
【図３】組合わせた混合体内に位置する複製の種々の層を示す、本発明による美術作品の複製の分解図である。
【図４】本発明による美術作品の複製を作成するための方法の略図である。
【符号の説明】
【００３０】
１０  複製
１２  ベース基板
１４  白い層
１６  レリーフ層
１８  カラー印刷層
２０  表面
２２  白いインク
２４  透明なシート
２６  粘性インク
２８  透明なプラスチック・シート
３０  メッシュ
３８ａ，３８ｂ，３８ｃ  カラー・インク
４０  コンピュータ
４２  スプレー
【図１】
2005119275.tif 000003
【図２】
2005119275.tif 000004
【図３】
2005119275.tif 000005
【図４】
2005119275.tif 000006